(57)【要約】【課題】ベッドの差込式サイドレールにおいて、ヘッドボードとの間に、身体が挟まれる危険性がある隙間を生じないようにすると共に、がたつきを軽減することを目的とする。【解決手段】本発明では、この課題を解決するために、サイドレール３の下側に支持棒体４を突設し、ベッド１側に上記支持棒体を差し込んで支持する差込支持部５を設けると共に、差し込んで支持したサイドレールの側辺がボード２まで至らせるようにした構成において、サイドレールに掛合する掛合部位９を形成した掛合支持体８を、ボードの側部に回転可能に支持した構成のベッドの差込式サイドレール装置を提案する。【選択図】図２
2010069181.tif 000002
【特許請求の範囲】
【請求項１】
サイドレールの下側に支持棒体を突設し、ベッド側に上記支持棒体を差し込んで支持する差込支持部を設けると共に、差し込んで支持したサイドレールの側辺がボードまで至らせるようにした構成において、サイドレールに掛合する掛合部位を形成した掛合支持体を、ボードの側部に回転可能に支持したことを特徴とするベッドの差込式サイドレール装置。
【請求項２】
掛合支持体は、ボードの側部の上端側に、ベッドの長手方向の水平軸の回りに回転可能に支持し、サイドレールの上部の横方向部位に上方から掛合部位を掛合する構成としたことを特徴とする請求項１に記載のベッドの差込式サイドレール装置。
【請求項３】
掛合支持体は、ボードの側部の上端側において、その幅方向に設けた案内棒体に移動及び回転可能に支持したことを特徴とする請求項２に記載のベッドの差込式サイドレール装置。
【請求項４】
掛合支持体は、ボードの側部の上端側よりも下方において、ベッドの長手方向の水平軸の回りに回転可能に支持して、サイドレールの中間の横方向部位に上方から掛合部位を掛合する構成としたことを特徴とする請求項１に記載のベッドの差込式サイドレール装置。
【請求項５】
掛合支持体は、ボードの側部の上側に、鉛直軸の回りに回転可能に支持して、サイドレールの縦方向部位に横方向から掛合部位を掛合する構成としたことを特徴とする請求項１に記載のベッドの差込式サイドレール装置。
【請求項６】
縦方向部位をサイドレールの長さ方向に複数形成したことを特徴とする請求項４に記載のベッドの差込式サイドレール装置。
【請求項７】
掛合支持体は、ボードの側部の上端側よりも下方において、ベッドの長手方向の水平軸の回りに回転可能に支持すると共に、掛合部位を横方向に突出させて保持するストッパーを設け、横方向に突出させて保持された掛合部位に、サイドレールの中間の横方向部位を上方から掛合する構成としたことを特徴とする請求項１に記載のベッドの差込式サイドレール装置。
【請求項８】
掛合支持体は、ボードの側部の上端側に、上下動及び鉛直軸の回りに旋回可能に構成し、サイドレールの上端の横方向部位に上方から掛合部位を掛合する構成としたことを特徴とする請求項１に記載のベッドの差込式サイドレール装置。
【請求項９】
掛合支持体は、一対の並設した帯状片として、それらの一端側に掛合部位を設け、他端側に取付用突起を設けて、ボードの上部の表裏側に設けた長さ方向の案内溝に嵌合して移動及び回転可能に支持したことを特徴とする請求項１に記載のベッドの差込式サイドレール装置。
【請求項１０】
サイドレールの下側に支持棒体を突設し、ベッド側に上記支持棒体を差し込んで支持する差込支持部を設けると共に、差し込んで支持したサイドレールの側辺がボードまで至らせるようにした構成において、サイドレールのボード側の上部に横方向案内部位を構成し、掛合支持体を、この横方向案内部位に移動及び回転可能に支持すると共に、ボードの側部の上端側に、掛合支持体の掛合部位を掛合させる掛合部を構成したことを特徴とするベッドの差込式サイドレール装置。
【請求項１１】
掛合部はベッドの長手方向に延びる案内溝とし、掛合部位は帯板状の掛合支持体の端部を屈曲させて形成した突出片として構成したことを特徴とする請求項１０に記載のベッドの差込式サイドレール装置。
【請求項１２】
掛合支持体は、屈曲させた帯板状とし、その両端部に屈曲させて形成した突出片を形成したことを特徴とする請求項１１に記載のベッドの差込式サイドレール装置。
【請求項１３】
掛合部は上方に突出した突起とし、掛合部位は突起に嵌合するリング状部位であることを特徴とする請求項１０に記載のベッドの差込式サイドレール装置。
【発明の詳細な説明】
【技術分野】
【０００１】
本発明は、ベッドの差込式サイドレールに関し、特にヘッドボードとの間に、身体が挟まれる危険性がある隙間を生じないようにすると共に、がたつきを軽減することができる差込式サイドレール装置に関するものである。
【背景技術】
【０００２】
医療施設や在宅看護の場で使用するベッドのサイドレールとしては各種方式のものが従来から提供されているが、このうち、サイドレールの下側に支持棒体を突設し、この支持棒体をベッド側に設けた差込支持部に差し込んで支持する方式の差込式サイドレールは、構成が複雑でなく、扱いやすいため、広く使用されている。
【０００３】
ところが、差込式サイドレールでは、一般に、その周辺等に隙間が生じるため、ベッド使用者の身体能力によっては、隙間に身体の一部が挟まれてしまうことがある。特に、サイドレールとヘッドボードとの間に生じる隙間は、頭側に存在するため重大事故につながる恐れが高い。
【０００４】
また差込式サイドレールは、下側に突設した支持棒体をベッド側に設けた差込支持部に差し込んで支持するという構成であることから、がたつきが必ず存在し、がたつきによって上述した隙間が広がることにより危険性がより高くなる場合がある。
【０００５】
差込式サイドレールによる隙間に対する従来技術として、例えば、特許文献１や特許文献２では、サイドレールの横側に伸縮可能な伸長部を構成して、この伸長部を、ボードとの距離に応じてサイドレールから伸長させることにより隙間を小さくしている。
【０００６】
また特許文献３では、サイドレールの側部とヘッドボードとの間の隙間の大きさに応じて、サイドレールの側部にカバーを固定することにより隙間を小さくしている。
【０００７】
一方、他の方式のサイドレールを示す従来技術として、特許文献４や特許文献５では、ベッドのヘッドボードとフットボード間に上部横桟部材と下部横桟部材を設け、下部横桟部材はベッド本体に固定し、上部横桟部材を昇降可能に支持すると共に、これらの上部横桟部材と下部横桟部材間に、スクリーン部材や伸縮支柱等の変形可能な部材を設けた全面柵方式のサイドレールがあり、これらの方式のサイドレールでは、上記隙間やがたつきは生じないが、不使用時に容易に取り外すことはできず、利便性が悪く、また複雑な機構が必要となる。
【特許文献１】特開２００６−２０４７４３号公報
【特許文献２】特開平８−２４３１２７号公報
【特許文献３】特開２００５−１６０５８３号公報
【特許文献４】特開２０００−５１２８４号公報
【特許文献５】特開２０００−１２６２４９号公報
【発明の開示】
【発明が解決しようとする課題】
【０００８】
特許文献１や特許文献２に示されるように、サイドレールの横側に伸縮可能な伸長部を構成して、この伸長部を、ボードとの距離に応じてサイドレールから伸縮させて調節可能とした構成や、特許文献３に示されるように、サイドレールの側部とヘッドボードとの間の隙間の大きさに応じて、サイドレールの側部にカバーを固定した構成、即ち、サイドレールの全幅を調節可能とする構成では、隙間を非常に小さく調節することもできるが、がたつきの問題は解消されておらず、隙間を小さく調節しても、がたつきにより広がって危険となる恐れがある。即ち、以上の特許文献に示されるような差込式サイドレールの構成では、ボードとの隙間を完全に無くすことはできない。
【０００９】
また上述したように、特許文献４や特許文献５に示されるような全面柵方式のサイドレールでは、上記隙間やがたつきは生じないが、不使用時に容易に取り外すことはできず、利便性が悪く、また複雑な機構が必要となる。
本発明は、以上の点に鑑みて創案されたもので、即ち、ベッドの差込式サイドレールにおいて、ボード、特に、ヘッドボードとの間に、身体が挟まれる危険性がある隙間を生じないようにすると共に、がたつきを軽減することができる差込式サイドレール装置を提供することを目的とするものである。
【課題を解決するための手段】
【００１０】
上述した課題を解決するために、本発明では、まず、サイドレールの下側に支持棒体を突設し、ベッド側に上記支持棒体を差し込んで支持する差込支持部を設けると共に、差し込んで支持したサイドレールの側辺がボードまで至らせるようにした構成において、サイドレールに掛合する掛合部位を形成した掛合支持体を、ボードの側部に回転可能に支持したベッドの差込式サイドレール装置を提案する。
【００１１】
そして本発明では、上記の構成において、掛合支持体は、ボードの側部の上端側に、ベッドの長手方向の水平軸の回りに回転可能に支持し、サイドレールの上部の横方向部位に上方から掛合部位を掛合する構成としたベッドの差込式サイドレール装置を提案する。また本発明では、この構成において、掛合支持体は、ボードの側部の上端側において、その幅方向に設けた案内棒体に移動及び回転可能に支持することを提案する。
【００１２】
また本発明では、上記の構成において、掛合支持体は、ボードの側部の上端側よりも下方において、ベッドの長手方向の水平軸の回りに回転可能に支持して、サイドレールの中間の横方向部位に上方から掛合部位を掛合する構成としたベッドの差込式サイドレール装置を提案する。
【００１３】
また本発明では、上記の構成において、掛合支持体は、ボードの側部の上側に、鉛直軸の回りに回転可能に支持して、サイドレールの縦方向部位に横方向から掛合部位を掛合する構成としたベッドの差込式サイドレール装置を提案する。そしてこの構成において、縦方向部位をサイドレールの長さ方向に複数形成したベッドの差込式サイドレール装置を提案する。
【００１４】
また本発明では、上記の構成において、掛合支持体は、ボードの側部の上端側よりも下方において、ベッドの長手方向の水平軸の回りに回転可能に支持すると共に、掛合部位を横方向に突出させて保持するストッパーを設け、横方向に突出させて保持された掛合部位に、サイドレールの中間の横方向部位を上方から掛合する構成としたベッドの差込式サイドレール装置を提案する。
【００１５】
また本発明では、上記の構成において、掛合支持体は、ボードの側部の上端側に、上下動及び鉛直軸の回りに旋回可能に構成し、サイドレールの上端の横方向部位に上方から掛合部位を掛合する構成としたベッドの差込式サイドレール装置を提案する。
【００１６】
また本発明では、上記の構成において、掛合支持体は、一対の並設した帯状片として、それらの一端側に掛合部位を設け、他端側に取付用突起を設けて、ボードの上部の表裏側に設けた長さ方向の案内溝に嵌合して移動及び回転可能に支持したこベッドの差込式サイドレール装置を提案する。
【００１７】
次に本発明では、サイドレールの下側に支持棒体を突設し、ベッド側に上記支持棒体を差し込んで支持する差込支持部を設けると共に、差し込んで支持したサイドレールの側辺がボードまで至らせるようにした構成において、サイドレールのボード側の上部に横方向案内部位を構成し、掛合支持体を、この横方向案内部位に移動及び回転可能に支持すると共に、ボードの側部の上端側に、掛合支持体の掛合部位を掛合させる掛合部を構成したベッドの差込式サイドレール装置を提案する。
【００１８】
また本発明では、上記の構成において、掛合部はベッドの長手方向に延びる案内溝とし、掛合部位は帯板状の掛合支持体の端部を屈曲させて形成した突出片として構成したベッドの差込式サイドレール装置を提案する。そしてこの構成において、掛合支持体は、屈曲させた帯板状とし、その両端部に屈曲させて形成した突出片を形成したベッドの差込式サイドレール装置を提案する。
【００１９】
また本発明では、上記の構成において、掛合部は上方に突出した突起とし、掛合部位は突起に嵌合するリング状部位としたベッドの差込式サイドレール装置を提案する。
【発明の効果】
【００２０】
本発明の差込式サイドレール装置、特に、サイドレールに掛合する掛合部位を形成した掛合支持体を、ボードの側部に回転可能に支持した構成では、サイドレールに突設した支持棒体をベッド側に設けた差込支持部に差し込んで支持した後、掛合支持体を回転させて上方からサイドレールに掛合することにより、差し込んで側辺がボードに至ったサイドレールを保持することができ、こうして、サイドレールとボード間の隙間がなく、安全性が向上すると共に、サイドレールの端部が掛合支持体を介してボードにより支持されるため、サイドレールのがたつきが低減され、がたつきによって隙間が生じることを防止することができる。またこの構成では、ボードと差込支持部との相対的位置関係が異なるベッドに対して使用が可能である。
【００２１】
掛合支持体は、ボードの側部の上端側や、それよりも下方において水平軸の回りに回転可能に支持し、サイドレールの上端又は中間の横方向部位に上方から掛合する構成とすることができる。この構成においても、ボードと差込支持部との相対的位置関係が異なるベッドに対して使用が可能である。
【００２２】
また掛合支持体は、ボードの側部の上側に、鉛直軸の回りに回転可能に支持して、サイドレールの縦方向部位に横方向から掛合部位を掛合する構成とすることができ、この構成では、縦方向部位をサイドレールの長さ方向に複数設けることにより、ボードと差込支持部との相対的位置関係が異なる複数種類のベッドに対して使用が可能である。
【００２３】
また掛合支持体は、ボードの側部の上端側に、上下動及び鉛直軸の回りに旋回可能に構成し、サイドレールの上端の横方向部位に上方から掛合部位を掛合する構成とすることができる。この構成においても、ボードと差込支持部との相対的位置関係が異なるベッドに対して使用が可能である。
【００２４】
また掛合支持体は、ボードの側部の上端側よりも下方において、ベッドの長手方向の水平軸の回りに回転可能に支持すると共に、掛合部位を横方向に突出させて保持するストッパーを設け、横方向に突出させて保持された掛合部位に、サイドレールの中間の横方向部位を上方から掛合する構成とすることができ、この構成の場合には、掛合部位を格納状態から横方向に突出させた状態としてサイドレールを下降させることにより、差込支持部による支持と同時に、ボードによる支持が行われる。
【００２５】
次に本発明の差込式サイドレール装置、特に、サイドレールのボード側の上部に横方向案内部位を構成し、掛合支持体を、この横方向案内部位に移動及び回転可能に支持すると共に、ボードの側部の上端側に、掛合支持体の掛合部位を掛合させる掛合部を構成したものでは、サイドレールに突設した支持棒体をベッド側に設けた差込支持部に差し込んで支持した後、サイドレール側に設けた掛合支持体を回転させて、その掛合部位をボードの側部の上端側に設けた掛合部に掛合させることにより、差し込んで側辺がボードに至ったサイドレールが掛合支持体を介してボードにより保持することができる。この際、掛合部位は、サイドレールを支持する動作と同時に掛合部に係合する構成とすることができる。こうして、サイドレールとボード間の隙間がなく、安全性が向上すると共に、サイドレールの端部が掛合支持体を介してボードにより支持されるため、サイドレールのがたつきが低減され、がたつきによって隙間が生じることを防止することができる。
【００２６】
掛合支持体は、サイドレールのボード側の上部に横方向案内部位を構成し、この横方向案内部位に軸方向に移動可能としているので、ボードと差込支持部との相対的位置関係が異なる複数種類のベッドに対して使用が可能である。
【００２７】
掛合部と掛合支持体の掛合部位は、案内溝と突出片や、突起とリング状部位等により構成することができ、前者の突出片を帯板状の掛合支持体の両端側に設ければ、これらのいずれの構成においても、サイドレールをベッドのいずれの側においても使用することができる。
【発明を実施するための最良の形態】
【００２８】
次に本発明のベッドの差込式サイドレール装置の実施の形態を添付図面を参照して説明する。
まず図１〜図４は本発明を適用した差込式サイドレール装置の第１の実施の形態を示す斜視図であり、ベッドの詳細な構成は省略して概念的に示している。
図において、符号１はベッド、２はそのヘッドボードであり、３はサイドレールを示すものである。サイドレール３は、下側に支持棒体４を突設して、ベッド１側に設けた差込支持部５に差し込んで支持する構成である。周知のように、差込支持部５はベッド１の床部６を支持するフレームや、それに突設した付属品受け７等に設けることができる。
【００２９】
この実施の形態においては、以上の構成において、ヘッドボード２の外面側の側部の上端側に掛合支持体８をベッド１の長手方向の水平軸の回りに回転可能に支持しており、この掛合支持体８の先端側にはフック状の掛合部位９が形成されている。この掛合支持体８を格納可能に支持するために、ヘッドボード２の側部には凹部１０が構成されており、掛合支持体８は、不使用時においては、図４に示すように、凹部１０内に格納されるように構成されている。
【００３０】
以上の構成においては、図１に示すように、掛合支持体８を予め回転させて係合部位９を上げておき、サイドレール３に突設した支持棒体４をベッド１側に設けた差込支持部５に差し込んで支持した後、掛合支持体８を回転させて、図２、図３に示すように、上方から掛合部位９をサイドレール３の上部の横方向部位１１ａに掛合することができる。従って、差し込んで支持されて側辺がヘッドボード２に至ったサイドレール３を保持することができ、こうして、サイドレール３とヘッドボード２間の隙間がなく、安全性が向上すると共に、サイドレール３の端部が掛合支持体８を介してヘッドボード２により支持されるため、そのがたつきが低減され、がたつきによって隙間が生じることを防止することができる。
【００３１】
この実施の形態においては、差込支持部５とヘッドボード２との距離が図に示すものより短いベッド、即ち、床長の短いベッドの場合にも掛合支持体８の掛合部位９により掛合されるサイドレール３の横方向部位１１ａの位置が変わるだけで、掛合には差し支えがない。
【００３２】
従ってこの実施の形態では、ヘッドボード２と差込支持部５との相対的位置関係が異なるベッドに対して使用が可能である。
【００３３】
次に図５は本発明を適用した差込式サイドレール装置の第２の実施の形態を示す斜視図であり、ベッドの詳細な構成は省略して概念的に示している。
この第２の実施の形態は、第１の実施の形態と比較して、掛合支持体８をヘッドボード２の内面側、即ち床部側の側部の上端側にベッド１の長手方向の水平軸の回りに回転可能に支持したものであり、この実施の形態においては、第１の実施の形態のようにサイドレール３を差込支持部５に差し込んで支持する前に、掛合支持体８を予め回転させて係合部位９を上げておくというような操作は不要である。
それ以外の構成や作用効果は第１の実施の形態と同様であるので、対応する構成要素に同一の符号を付して重複する説明は省略する。
【００３４】
次に図６、図７は本発明を適用した差込式サイドレール装置の第３の実施の形態を示す斜視図であり、ベッドの詳細な構成は省略して概念的に示している。
この第３の実施の形態は、第２の実施の形態と比較して、掛合支持体８を、ヘッドボード２の内面側、即ち床部６側の側部の上端側よりも下方においてベッド１の長手方向の水平軸の回りに回転可能に支持したもので、掛合支持体８の掛合部位９はサイドレール３の中間の横方向部位１１ｂに掛合される。
それ以外の構成や作用効果は第１の実施の形態と同様であるので、対応する構成要素に同一の符号を付して重複する説明は省略する。尚、掛合支持体８は、第１の実施の形態と同様にヘッドボード２の外面側、即ち床部６側の側部の上端側よりも下方において支持することもできる。
【００３５】
次に図8〜図１０は本発明を適用した差込式サイドレール装置の第４の実施の形態を示すもので、図８は要部斜視図、図９は要部正面図、図１０は要部平面図である。
この第４の実施の形態は、第１の実施の形態の変形例であり、掛合支持体８は、ヘッドボード２の側部の上端側において、その幅方向に設けた案内棒体２５に移動及び回転可能に支持している。即ち、掛合支持体８は案内棒体２５に移動及び回転可能に嵌合した筒状基体２６の横方向から屈曲させてヘッドボード２の幅方向に突出させており、その先端側に掛合部位９を設けている。また第１の実施の形態と同様に、掛合支持体８を格納可能に支持するために、ヘッドボード２の側部には凹部１０が構成されており、掛合支持体８は、不使用時においては、図９に示すように、凹部１０内に格納されるように構成されている。
【００３６】
以上の構成においては、第１の実施の形態と同様に、サイドレール３に突設した支持棒体４をベッド１側に設けた差込支持部５に差し込んで支持した後、掛合支持体８を上方に回転させて凹部１０の外側に至らせ、そしてヘッドボード２の外側方向に移動して、図１０に示すように、上方から掛合部位９をサイドレール３の上部の横方向部位１１ａに掛合することができる。
【００３７】
従って、差し込んで支持されて側辺がヘッドボード２に至ったサイドレール３を保持することができ、こうして、サイドレール３とヘッドボード２間の隙間がなく、安全性が向上する。この実施の形態では、掛合支持体８は案内棒体２５に沿ってヘッドボード２の幅方向に移動が可能であるが、掛合部位９によりサイドレール３の横方向部位１１ａに掛合する位置を移動ストロークの端部とすることにより、外側方向へのサイドレール３の移動を抑制し、がたつきによって隙間が生じることを防止することができるので、この点において安全性が確保できる。
【００３８】
次に図１１、図１２は本発明を適用した差込式サイドレール装置の第５の実施の形態を示す斜視図、拡大斜視図であり、ベッドの詳細な構成は省略して概念的に示している。
この第５の実施の形態では、掛合支持体８は、ヘッドボード２の側部の上側に、鉛直軸の回りに回転可能に支持して、サイドレール３の縦方向部位１２ａ，１２ｂに横方向から掛合部位９を掛合する構成としており、このように縦方向部位１２ａ，１２ｂはサイドレール３の長さ方向に２個所設けられている。
【００３９】
以上の構成においては、サイドレール３に突設した支持棒体４をベッド１側に設けた差込支持部５に差し込んで支持した後、掛合支持体８を回転させて、図７に示すように、掛合部位９を回転させて横方向からサイドレール３の縦方向部位１２ａに掛合することができる。
【００４０】
差込支持部５とヘッドボード２との距離が図に示すものより短いベッド、即ち、床長の短いベッドの場合には、掛合支持体８の掛合部位９がサイドレール３の縦方向部位１２ｂに位置するので、この縦方向部位１２ｂに掛合して支持することができる。
【００４１】
こうしてこの実施の形態においても、サイドレール３とヘッドボード２間の隙間がなく、安全性が向上すると共に、サイドレール３の端部が掛合支持体８を介してヘッドボード２により支持されるため、そのがたつきが低減され、がたつきによって隙間が生じることを防止することができる。
【００４２】
次に、図１３〜図１５は本発明を適用した差込式サイドレール装置の第６の実施の形態を示す斜視図であり、ベッドの詳細な構成は省略して概念的に示している。
この第６の実施の形態では、掛合支持体８は、ヘッドボード２の側部の上端側よりも下方において、ベッド１の長手方向の水平軸の回りに回転可能に支持すると共に、その先端側の掛合部位９を横方向に突出させて保持するストッパー１３を設けている。
【００４３】
この構成では、不使用時においては、例えば図１３に示すように掛合部位９が上方に位置する格納状態の掛合支持体８を横方向に突出させて保持し、この状態において、サイドレール３に突設した支持棒体４をベッド１側に設けた差込支持部５に差し込む操作を行う。即ち、この操作において、サイドレール３を下降させると、支持棒体４が差込支持部５に差し込まれると同時にサイドレール３の横方向部位１１ｂが掛合支持体８の掛合部位９に掛合されて支持される。こうしてこの実施の形態では、サイドレール３を差込支持部５により支持する動作と同時に掛合支持体８を介してのヘッドボード２によるサイドレール３の支持が行われる。
【００４４】
その他の構成と作用効果は上述した他の実施の形態と同様であるので、重複する説明は省略する。
【００４５】
次に、図１６〜図１８は本発明を適用した差込式サイドレール装置の第７の実施の形態を示す要部拡大斜視図である。
この実施の形態では、掛合支持体８はヘッドボード２の側部の上端側に、上下動及び鉛直軸の回りに旋回可能に構成している。即ち、掛合支持体８は、下方に突設した支持軸１４をヘッドボード２側の支持部材１５に対して摺動及び回転可能に支持した構成である。
【００４６】
この実施の形態においては、サイドレール３を差込支持部５により支持した後に、図１６に示す格納状態の掛合支持体８を、図１７に示すように持ち上げ、回転させて掛合部位９をサイドレール３の上部の横方向部位１１ａ側に向け、この状態において下降させて図１８に示すように、掛合部位９をサイドレール３の横方向部位１１ａに掛合することができる。その他の構成と作用効果は上述した他の実施の形態と同様であるので、重複する説明は省略する。
【００４７】
次に図１９、図２０は本発明を適用した差込式サイドレール装置の第８の実施の形態を示す要部拡大平面図と、Ａ−Ａ線断面図である。
この実施の形態では、掛合支持体８は、一対の並設した帯状片として、それらの一端側に掛合部位９を設けると共に、他端側に、ヘッドボード２の上部の表裏側に設けた長さ方向の案内溝２４に嵌る取付用突起２３を設けた構成である。
この実施の形態の作用効果は上述した他の実施の形態と同様であるので、重複する説明は省略する。尚、この実施の形態でも、掛合支持体８は案内溝２４に沿ってヘッドボード２の幅方向に移動が可能であるが、掛合部位９によりサイドレール３の横方向部位に掛合する位置を移動ストロークの端部とすることにより、外側方向へのサイドレール３の移動を抑制し、がたつきによって隙間が生じることを防止することができるので、この点において安全性が確保できる。
【００４８】
次に図２１〜図２３は本発明を適用した差込式サイドレール装置の第９の実施の形態を示す斜視図と要部拡大斜視図であり、ベッドの詳細な構成は省略して概念的に示している。
この第９の実施の形態は、サイドレール３のヘッドボード２側の上部に横方向案内部位１６を構成し、この横方向案内部位１６に沿って掛合支持体１７を移動及び回転可能に支持すると共に、ヘッドボード２の側部の上端側に、掛合支持体１７の掛合部位１８を掛合させる掛合部１９を設けた構成である。
【００４９】
即ち、この実施の形態では、掛合部１９は、ヘッドボード２の側部の上端に設けた支持部材２０に形成したベッドの長手方向に延びる案内溝としており、一方、掛合部位１８は帯板状の掛合支持体１７の両端部を屈曲させて形成した突出片として構成している。そして帯板状の掛合支持体１７は、略直角に屈曲されていて、その屈曲個所の内側に環状支持部材２１を設けて、この環状支持部材２１を横方向案内部位１６に嵌合して移動及び回転可能に構成している。尚、横方向案内部位１６は、後述する第８の実施の形態と同様に、サイドレール３の上部の横桟部材を用いても良い。
【００５０】
この構成においては、サイドレール３に突設した支持棒体４をベッド側に設けた差込支持部５に差し込んで支持した後、サイドレール３側に設けた掛合支持体１７を回転させて、その掛合部位１８をヘッドボード２の側部の上端側に設けた掛合部１９に掛合させることにより、差し込んで側辺がヘッドボード２に至ったサイドレール３を掛合支持体１７を介してヘッドボード２により保持することができる。この際、外力が加わっていない場合には、掛合支持体１７は上側に凸となるような姿勢で両端側の掛合部位１８が横方向に突出しているので、サイドレール３に突設した支持棒体４をベッド側に設けた差込支持部５に差し込んで支持する操作を行う際に、掛合部位１８が支持部材２０の上面に当接するようにすれば、サイドレール３の下降動作において、当接した掛合部位１８が支持部材２０の上面を移動して掛合部１９としての案内溝に自動的に掛合する。
【００５１】
こうして、サイドレール３とヘッドボード２間の隙間がなく、安全性が向上すると共に、またサイドレール３の端部が掛合支持体１７を介してヘッドボード２により支持されるため、サイドレール３のがたつきが低減され、がたつきによって隙間が生じることを防止することができる。
【００５２】
掛合支持体１７は横方向案内部位１６に沿って移動可能としているので、ヘッドボード２と差込支持部５との相対的位置関係が異なる複数種類のベッド１に対して使用が可能である。また、図から分かるように、この実施の形態では、掛合部位１８は掛合支持体１７の両端部に構成されているので、サイドレール３の上部横桟部材の両側に位置させることができるので、サイドレール３をベッド１のいずれの側においても使用することができる。
【００５３】
次に図２４〜図２７は本発明を適用した差込式サイドレール装置の第１０の実施の形態を示す斜視図と要部拡大斜視図であり、ベッドの詳細な構成は省略して概念的に示している。
この第１０の実施の形態は、第９の実施の形態と同様に、サイドレール３のヘッドボード２側の上部に横方向案内部位１６を構成し、この横方向案内部位１６に沿って掛合支持体１７を移動及び回転可能に支持すると共に、ヘッドボード２の側部の上端側に、掛合支持体１７の掛合部位１８を掛合させる掛合部１９を設けた構成であるが、横方向案内部位１６と掛合支持体１７と掛合部位１８及び掛合部１９の構成が第７の実施の形態とは相違している。
【００５４】
即ち、この第１０の実施の形態では、掛合部１９はヘッドボード２の側部上端側に取り付けた支持部材２１の上方に突出した突起、この場合は円柱状突起としており、また掛合部位１８は掛合部１９である突起に嵌合するリング状部位としている。掛合支持体１７は帯板状として構成しており、一端側に上記掛合部位１８を構成すると共に、他端側には筒状支持体２２を構成して、この筒状支持体２２をサイドレール３の上部横桟部材に移動及び回動可能に支持している。即ち、この実施の形態では、上部横桟部材自体を第９の実施の形態における横方向案内部位１６として利用しているが、第９の実施の形態と同様な横方向案内部位１６を構成することもできる。
【００５５】
この構成においては、サイドレール３に突設した支持棒体４をベッド側に設けた差込支持部５に差し込んで支持した後、図２４〜図２６に示すように掛合支持体１７の移動により位置調整をしながらリング状部位である掛合部位１８を回動させて、図２７に示すように、その掛合部位１８としてのリング状部位をヘッドボード２の側部の上端側に設けた掛合部１９としての突起に掛合させることにより、差し込んで支持し、側辺がヘッドボード２に至ったサイドレール３を掛合支持体１７を介してヘッドボード２により保持することができる。
【００５６】
図から分かるように、この実施の形態では、掛合部位１８は掛合支持体１７の回動により、サイドレール３の上部横桟部材の両側に至らせることができるので、サイドレール３をベッド１のいずれの側においても使用することができる。
【００５７】
その他の作用・効果は第９の実施の形態と同様であるので、重複する説明は省略する。
【００５８】
尚、以上の説明では、本発明の差込式サイドレール装置は、ヘッドボードに対応して構成しているが、フットボードに対応して構成することもできることは勿論である。
【産業上の利用可能性】
【００５９】
本発明は以上の通りであるので、ボード、特に、ヘッドボードとの間に、身体が挟まれる危険性がある隙間を生じないようにすると共に、がたつきを軽減することができる差込式サイドレール装置を提供することができる。
【図面の簡単な説明】
【００６０】
【図１】本発明の差込式サイドレール装置の第１の実施の形態を概念的に示す斜視図である。
【図２】本発明の差込式サイドレール装置の第１の実施の形態を使用状態において概念的に示す斜視図である。
【図３】本発明の差込式サイドレール装置の第１の実施の形態を使用状態において概念的に示す要部拡大斜視図である。
【図４】本発明の差込式サイドレール装置の第１の実施の形態を不使用状態において概念的に示す要部拡大斜視図である。
【図５】本発明の差込式サイドレール装置の第２の実施の形態を使用状態において概念的に示す斜視図である。
【図６】本発明の差込式サイドレール装置の第３の実施の形態を概念的に示す斜視図である。
【図７】本発明の差込式サイドレール装置の第３の実施の形態を使用状態において概念的に示す斜視図である。
【図８】本発明の差込式サイドレール装置の第４の実施の形態を概念的に示す要部斜視図である。
【図９】本発明の差込式サイドレール装置の第４の実施の形態を不使用状態において概念的に示す要部正面図である。
【図１０】本発明の差込式サイドレール装置の第４の実施の形態を使用状態において概念的に示す要部平面図である。
【図１１】本発明の差込式サイドレール装置の第５の実施の形態を概念的に示す斜視図である。
【図１２】本発明の差込式サイドレール装置の第５の実施の形態を使用状態において概念的に示す要部拡大斜視図である。
【図１３】本発明の差込式サイドレール装置の第６の実施の形態を概念的に示す斜視図である。
【図１４】本発明の差込式サイドレール装置の第６の実施の形態を使用状態において概念的に示す斜視図である。
【図１５】本発明の差込式サイドレール装置の第６の実施の形態を使用状態において概念的に示す要部拡大斜視図である。
【図１６】本発明の差込式サイドレール装置の第７の実施の形態を概念的に示す要部拡大斜視図である。
【図１７】本発明の差込式サイドレール装置の第７の実施の形態を他の局面において概念的に示す要部拡大斜視図である。
【図１８】本発明の差込式サイドレール装置の第７の実施の形態を使用状態において概念的に示す要部拡大斜視図である。
【図１９】本発明のサイドレールスペーサーの第８の実施の形態を使用状態において示す要部平面図である。
【図２０】図１９のＡ−Ａ線断面図である。
【図２１】本発明の差込式サイドレール装置の第９の実施の形態を概念的に示す斜視図である。
【図２２】本発明の差込式サイドレール装置の第９の実施の形態を他の局面において概念的に示す要部拡大斜視図である。
【図２３】本発明の差込式サイドレール装置の第９の実施の形態を更に他の局面において概念的に示す要部拡大斜視図である。
【図２４】本発明の差込式サイドレール装置の第１０の実施の形態を概念的に示す斜視図である。
【図２５】本発明の差込式サイドレール装置の第１０の実施の形態を他の局面において概念的に示す要部拡大斜視図である。
【図２６】本発明の差込式サイドレール装置の第１０の実施の形態を更に他の局面において概念的に示す要部拡大斜視図である。
【図２７】本発明の差込式サイドレール装置の第１０の実施の形態を使用状態において概念的に示す斜視図である。
【符号の説明】
【００６１】
１                    ベッド
２                    ヘッドボード
３                    サイドレール
４                    支持棒体
５                    差込支持部
６                    床部
７                    付属品受け
８                    掛合支持体
９                    掛合部位
１０                  凹部
１１ａ，１１ｂ        横方向部位
１２ａ，１２ｂ        縦方向部位
１３                  ストッパー
１４                  支持軸
１５                  支持部材
１６                  横方向案内部位
１７                  掛合支持体
１８                  掛合部位
１９                  掛合部
２０、２１            支持部材
２２                  筒状支持体
２３                  取付用突起
２４                  案内溝
２５                  案内棒体
２６                  筒状基体
【図１】
2010069181.tif 000003
【図２】
2010069181.tif 000004
【図３】
2010069181.tif 000005
【図４】
2010069181.tif 000006
【図５】
2010069181.tif 000007
【図６】
2010069181.tif 000008
【図７】
2010069181.tif 000009
【図８】
2010069181.tif 000010
【図９】
2010069181.tif 000011
【図１０】
2010069181.tif 000012
【図１１】
2010069181.tif 000013
【図１２】
2010069181.tif 000014
【図１３】
2010069181.tif 000015
【図１４】
2010069181.tif 000016
【図１５】
2010069181.tif 000017
【図１６】
2010069181.tif 000018
【図１７】
2010069181.tif 000019
【図１８】
2010069181.tif 000020
【図１９】
2010069181.tif 000021
【図２０】
2010069181.tif 000022
【図２１】
2010069181.tif 000023
【図２２】
2010069181.tif 000024
【図２３】
2010069181.tif 000025
【図２４】
2010069181.tif 000026
【図２５】
2010069181.tif 000027
【図２６】
2010069181.tif 000028
【図２７】
2010069181.tif 000029